(57)【要約】【課題】電子ファインダモードにおける撮影を良好に行うことができる撮影装置を提供することを目的とする。【解決手段】一眼レフタイプのデジタルカメラ１０は、電子ファインダモードが設定された場合、被写体からの光がＣＣＤ２２に導かれるようにクイックリターンミラーを駆動すると共に、ＣＣＤ２２で撮像した画像が所定間隔で液晶モニター６４にスルー画表示されるように制御し、設定された本撮影条件により本撮影した場合の撮影画像と同等の画像がスルー画表示されるように、スルー画表示条件を調整する。【選択図】図５
2009111844.tif 000002
【特許請求の範囲】
【請求項１】
入射した被写体からの光を光学的に表示する光学ファインダと、
前記被写体を撮像する撮像素子と、
前記被写体からの光を前記撮像素子に結像させる撮像光学系と、
前記撮像素子と前記撮像光学系との間に設けられ、前記被写体からの光を前記光学ファインダ及び前記撮像素子の何れかに導く反射ミラーと、
前記撮像素子で撮像した画像を表示する表示手段と、
前記被写体を前記光学ファインダで確認して撮影する光学ファインダモードと、前記被写体を前記表示手段に表示されたスルー画を確認して撮影する電子ファインダモードと、を切り換える撮影モード切替手段と、
前記電子ファインダモードが設定された場合、前記被写体からの光が前記撮像素子に導かれるように前記反射ミラーを駆動すると共に、前記撮像素子で撮像した画像が所定間隔で前記表示手段にスルー画表示されるように制御する制御手段と、
前記スルー画表示されている時の撮影状況に応じて、前記スルー画表示時のスルー画表示条件及び本撮影時の本撮影条件の少なくとも一方を調整する調整手段と、
を備えた撮影装置。
【請求項２】
前記調整手段は、設定された本撮影条件により本撮影した場合の撮影画像と同等の画像がスルー画表示されるように、前記スルー画表示条件を調整することを特徴とする請求項１記載の撮影装置。
【請求項３】
前記調整手段は、前記本撮影条件が変更された場合に、当該変更された本撮影条件に応じて前記スルー画表示条件を調整することを特徴とする請求項２記載の撮影装置。
【請求項４】
前記被写体に向けて発光するフラッシュ発光手段をさらに備えたことを特徴とする請求項１〜請求項３の何れか１項に記載の撮影装置。
【請求項５】
前記調整手段は、前記スルー画表示時において本撮影指示された場合に、前記フラッシュ発光手段に発光させずに撮影したときの画像データと、前記フラッシュ発光手段に予備発光させて撮影したときの画像データと、に基づいて、前記フラッシュ発光手段の本発光時の発光量を調整することを特徴とする請求項４記載の撮影装置。
【請求項６】
前記調整手段は、前記フラッシュ発光手段に発光させて本撮影した場合の撮影画像と同等の同等画像を生成する生成手段を含むことを特徴とする請求項４又は請求項５記載の撮影装置。
【請求項７】
前記生成手段は、前記本撮影条件において前記フラッシュ発光手段に発光させずに撮影したときの画像データと、前記本撮影条件において前記フラッシュ発光手段に予備発光させて撮影したときの画像データと、に基づいて、前記同等画像を生成することを特徴とする請求項６記載の撮影装置。
【請求項８】
前記生成手段は、前記本撮影条件が変更された場合に、当該変更された本撮影条件に応じて前記同等画像を再生成することを特徴とする請求項６又は請求項７記載の撮影装置。
【請求項９】
前記被写体の合焦動作を自動で行うオートフォーカスモードと手動で行うマニュアルフォーカスモードとを切り替える合焦モード切替手段をさらに備え、
前記電子ファインダモードが設定された場合、前記制御手段は、前記マニュアルフォーカスモードに強制的に切り替えることを特徴とする請求項１〜請求項８の何れか１項に記載の撮影装置。
【発明の詳細な説明】
【技術分野】
【０００１】
本発明は、撮影装置に係り、特に、電子ファインダモードを有する一眼レフタイプの撮影装置に関する。
【背景技術】
【０００２】
従来、レンズ交換式の一眼レフタイプのデジタルカメラは、一般的にクイックリターンミラーによって被写体からの光を光学ファインダ及びＣＣＤ等の撮像素子の何れかに選択的に導く構成とされており、撮影時にのみ被写体からの光が撮像素子に導かれるようになっている。
【０００３】
このような一眼レフタイプのデジタルカメラでは、光学ファインダで被写体像を確認する光学ファインダモードと、撮像素子で撮像された画像を連続してＬＣＤ等の表示手段にスルー画表示させ、これにより被写体像を確認する電子ファインダモードと、を切り替えることができるものがある（例えば特許文献１〜３参照）。
【特許文献１】特開２００２−３６９０４２号公報
【特許文献２】特開２００７−１５８８７８号公報
【特許文献３】特開２０００−１６２４９４号公報
【発明の開示】
【発明が解決しようとする課題】
【０００４】
しかしながら、電子ファインダモードでは、スルー画と実際の撮影時の撮影画像とが微妙に異なる、という問題があった。
【０００５】
また、上記のような一眼レフタイプのデジタルカメラでは、測光や測距は専用のセンサを用いて行うのが通常であると共に、フラッシュ撮影する場合はプリ発光して測光してから本発光して撮影するのが通常であるが、電子ファインダモードの場合、専用の測光センサでは測光できず、フラッシュ撮影における調光ができない、という問題もあった。また、フラッシュ撮影時の撮影画像を電子ファインダで事前に確認できると利便性が非常に向上するが、そのようなものは未だ提案されていない。
【０００６】
このように、従来の一眼レフタイプのデジタルカメラにおいては、電子ファインダモードにおいて良好に撮影を行うのが困難である、という問題があった。
【０００７】
本発明は、上述した課題を解決するために提案されたものであり、電子ファインダモードにおける撮影を良好に行うことができる撮影装置を提供することを目的とする。
【課題を解決するための手段】
【０００８】
上述した課題を解決するため、請求項１記載の発明は、入射した被写体からの光を光学的に表示する光学ファインダと、前記被写体を撮像する撮像素子と、前記被写体からの光を前記撮像素子に結像させる撮像光学系と、前記撮像素子と前記撮像光学系との間に設けられ、前記被写体からの光を前記光学ファインダ及び前記撮像素子の何れかに導く反射ミラーと、前記撮像素子で撮像した画像を表示する表示手段と、前記被写体を前記光学ファインダで確認して撮影する光学ファインダモードと、前記被写体を前記表示手段に表示されたスルー画を確認して撮影する電子ファインダモードと、を切り換える撮影モード切替手段と、前記電子ファインダモードが設定された場合、前記被写体からの光が前記撮像素子に導かれるように前記反射ミラーを駆動すると共に、前記撮像素子で撮像した画像が所定間隔で前記表示手段にスルー画表示されるように制御する制御手段と、前記スルー画表示されている時の撮影状況に応じて、前記スルー画表示時のスルー画表示条件及び本撮影時の本撮影条件の少なくとも一方を調整する調整手段と、を備えたことを特徴とする。
【０００９】
この発明によれば、電子ファインダモードが設定され表示手段にスルー画表示されている場合に、スルー画表示されている時の撮影状況に応じて、スルー画表示時のスルー画表示条件及び本撮影時の本撮影条件の少なくとも一方を調整するので、電子ファインダモードにおける撮影を良好に行うことができる。
【００１０】
例えば請求項２に記載したように、前記調整手段は、設定された本撮影条件により本撮影した場合の撮影画像と同等の画像がスルー画表示されるように、前記スルー画表示条件を調整することができる。これにより、電子ファインダモードにおいて本撮影時と同等の画像を事前確認することができる。
【００１１】
また、請求項３に記載したように、前記調整手段は、前記本撮影条件が変更された場合に、当該変更された本撮影条件に応じて前記スルー画表示条件を調整するようにしてもよい。これにより、スルー画表示中に本撮影条件を変更しても、変更された本撮影条件により本撮影した場合と同等の画像を事前確認することができる。
【００１２】
また、請求項４に記載したように、前記被写体に向けて発光するフラッシュ発光手段をさらに備えた構成としてもよい。
【００１３】
この場合、請求項５に記載したように、前記調整手段は、前記スルー画表示時において本撮影指示された場合に、前記フラッシュ発光手段に発光させずに撮影したときの画像データと、前記フラッシュ発光手段に予備発光させて撮影したときの画像データと、に基づいて、前記フラッシュ発光手段の本発光時の発光量を調整するようにしてもよい。これにより、電子ファインダモードにおいても良好にフラッシュ撮影することができる。
【００１４】
また、請求項６に記載したように、前記調整手段は、前記フラッシュ発光手段に発光させて本撮影した場合の撮影画像と同等の同等画像を生成する生成手段を含むようにしてもよい。これにより、電子ファインダモードにおいて、フラッシュ発光させて本撮影した場合と同等の画像を事前確認することができる。
【００１５】
また、請求項７に記載したように、前記生成手段は、前記本撮影条件において前記フラッシュ発光手段に発光させずに撮影したときの画像データと、前記本撮影条件において前記フラッシュ発光手段に予備発光させて撮影したときの画像データと、に基づいて、前記同等画像を生成することができる。
【００１６】
また、請求項８に記載したように、前記生成手段は、前記本撮影条件が変更された場合に、当該変更された本撮影条件に応じて前記同等画像を再生成するようにしてもよい。これにより、スルー画表示中に本撮影条件を変更しても、変更された本撮影条件によりフラッシュ発光して本撮影した場合と同等の画像を事前確認することができる。
【００１７】
また、請求項９に記載したように、前記被写体の合焦動作を自動で行うオートフォーカスモードと手動で行うマニュアルフォーカスモードとを切り替える合焦モード切替手段をさらに備え、前記電子ファインダモードが設定された場合、前記制御手段は、前記マニュアルフォーカスモードに強制的に切り替えるようにしてもよい。これにより、電子ファインダモードが設定されかつオートフォーカスモードが設定されている場合でも、微妙なピント合わせをするために手動でマニュアルフォーカスモードに切り替える必要がなく、ユーザーの利便性を向上させることができる。
【発明の効果】
【００１８】
本発明によれば、電子ファインダモードにおける撮影を良好に行うことができる、という効果を有する。
【発明を実施するための最良の形態】
【００１９】
以下、本発明を実施するための最良の形態について、図面を参照しながら詳細に説明する。
【００２０】
（第１実施形態）
【００２１】
本発明の第１実施形態に係るデジタルカメラについて説明する。図１に示すように、デジタルカメラ１０は、主に静止画像を撮影する一眼レフタイプのデジタルスチルカメラである。
【００２２】
図１と図２とに示すように、デジタルカメラ１０は、カメラ本体１２の前面（正面）部にレンズマウント部１４が備えられ、レンズマウント部１４を介して、複数のレンズからなるレンズ群３００（図４参照）などを備えるレンズユニット１６が交換可能に装着される。また、シャッターボタン１８が正面に向かって左上部に配置されている。さらに、補助光を発光するフラッシュ１３が正面に向かって中央上部に設けられている。このフラッシュ１３は、フラッシュ発光による撮影が設定された場合、撮影時に自動的にポップアップしてフラッシュ発光する構造となっている。図１、２では、フラッシュ１３が閉じている状態を示した。フラッシュ発光設定は、手動でフラッシュ１３をポップアップすることにより発光設定となるようにしてもよい。
【００２３】
図３に示すように、デジタルカメラ１０の背面外装部には、光学ファインダ６０、表示パネル６２、液晶モニター６４、十字ボタン６６、メニュー／実行ボタン６７、バックボタン６８、ファンクションボタン６３などが設けられている。
【００２４】
液晶モニター６４には、被写体像及び記録済み画像の再生画像を表示させることができる。また、現在設定されているモードの情報、画像の圧縮率の情報、日時情報、コマ番号なども表示される。更に、ユーザーが各種の設定操作等を行う際のユーザインターフェース用表示画面としても利用され、必要に応じて設定項目などのメニュー情報も表示される。
【００２５】
光学ファインダ６０は、レンズユニット１６（図１、図２参照）からの被写体像を、そのまま見ることができる。
【００２６】
図４に示すように、カメラ本体１２の内部には、クイックリターンミラー２０３が撮影光路内に設けられている。クイックリターンミラー２０３は、レンズユニット１６からの被写体光を光学ファインダ６０への光路系に導く位置（斜設位置）と撮影光路外に退避する位置（退避位置）との間を移動する。（いわゆる、ミラーダウンとミラーアップ）。なお、図４においては、クイックリターンミラー２０３はミラーダウンした斜設位置にある。また、一点破線は、光軸２０１を示している。
【００２７】
クイックリターンミラー２０３の上方には、光学ファインダ６０に導かれる被写体光が結像するピント板２０４が配設されている。ピント板２０４の上方には、光学ファインダ６０の視認性を向上させるためのコンデンサレンズ２０５が設けられている。そして、ペンタゴナルダハプリズム２０６で、ピント板２０４とコンデンサレンズ２０５とを通った被写体光を、光学ファインダ６０用の接眼レンズ２０８に導く。
【００２８】
一方、クイックリターンミラー２０３の後方には、上下方向（矢印Ｚ方向）にシャッター３２が開閉するフォーカルプレーンシャッター型のシャッター機構３０が配置されている。なお、図４ではシャッター３２は開放した状態である。シャッター機構３０の後方には、撮像素子であるＣＣＤ２２が配置されている。ＣＣＤ２２は多数のフォトダイオード（図示省略）が平面的に配列され、ハニカム配列、ベイヤー配列その他の所定のカラーフィルター配列構造を備えている。このＣＣＤ２２の前面には、カバーガラス２４が配置され、更にその前方には、モアレの発生を防止するために光の高周波成分を除去する光学ローパスフィルター１５０（以降、ＯＬＰＦ１５０とする）が配置されている。
【００２９】
そして、クイックリターンミラー２０３が撮影光路外に退避する位置（退避位置）にミラーアップした後、シャッター３２が開き、ＯＬＰＦ１５０を介して、ＣＣＤ２２に電荷を蓄積する。そして、画像データが、記録メディア１２０（図５参照）に記録される。
【００３０】
図５は、デジタルカメラ１０（カメラ本体１２及びレンズユニット１６）の内部構成を示すブロック図である。レンズユニット１６は、絞り機構８０とフォーカシングレンズ８２やズームレンズ１８２等からなるレンズ群３００とを備える。さらに、絞り機構８０を駆動する手段としてのアイリスモータ８３及びその駆動回路（モータドライバ）８４、フォーカシングレンズ８２を駆動する手段としてのＡＦモーター８６及びその駆動回路（モータドライバ）８７、ズームレンズ１８２を駆動する手段としてのズームモータ１８６及びその駆動回路（モータドライバ）１８７、並びに制御用の中央処理装置（以下、レンズＣＰＵという。）８８、各種データが格納されているＲＯＭ８９等が内蔵されている。なお、ズームの駆動は手動で行うようにしてもよい。また、絞りやＡＦの駆動は、カメラ本体１２から駆動する構成としてもよい。
【００３１】
不揮発性記憶手段であるＲＯＭ８９は書き換え不能なものであってもよいし、ＥＥＰＲＯＭのように書き換え可能なものでもよい。ＲＯＭ８９には当該レンズユニット１６の型名、焦点距離、Ｆナンバー、その他のレンズ性能に関する各種情報（以下、「レンズ情報」という。）が格納されている。
【００３２】
レンズユニット１６をカメラ本体１２のレンズマウント部１４に装着すると（図１と図２とを参照）、レンズマウント部１４に設けられている電気接点部１４Ａとレンズユニット１６の電気接点部１６Ａとを介してレンズユニット１６とカメラ本体１２が電気的に接続され、デジタルカメラ１０内のＣＰＵ（以下、カメラＣＰＵという。）９０とレンズＣＰＵ８８の間で信号の受渡しが可能となる。
【００３３】
カメラＣＰＵ９０は、所定のプログラムに従って本カメラシステムを統括制御する制御手段として機能するとともに、ＡＥ／ＡＦ演算など各種の演算を実施する演算手段としても機能する。カメラＣＰＵ９０に接続されているＲＯＭ９１には、カメラＣＰＵ９０が実行するプログラム及び制御に必要な各種データ等が格納されており、ＲＡＭ９２はカメラＣＰＵ９０の作業用領域として利用される。不揮発性記憶手段であるＲＯＭ９１は書き換え不能なものであってもよいし、ＥＥＰＲＯＭのように書き換え可能なものでもよい。
【００３４】
カメラＣＰＵ９０は、カメラ本体１２に設けられている電源スイッチ９３、モード選択スイッチ９４、及びレリーズ検出スイッチ９５その他の操作部９６からの指示信号に基づいてデジタルカメラ１０内の各回路の動作を制御する。なお、操作部９６は図３に示す十字ボタン６６、メニュー／実行ボタン６７、バックボタン６８、ファンクションボタン６３等の各種の操作手段を含むブロックである。
【００３５】
また、カメラＣＰＵ９０には、自動で合焦駆動するオートフォーカスモードと手動で合焦させるマニュアルフォーカスモードとを切り替えるためのＡＦ／ＭＦ切り替えスイッチ１３０が接続されている。
【００３６】
電源スイッチ９３は、デジタルカメラ１０の主電源をＯＮ／ＯＦＦする操作手段である。カメラＣＰＵ９０は電源スイッチ９３の状態を監視し、その状態に応じて電源回路９７を制御する。すなわち、電源スイッチ９３の閉（ＯＮ）状態を検出すると、カメラＣＰＵ９０は電源回路９７に対して起動指令の信号を与え、電源回路９７を起動させる。
【００３７】
電源回路９７はＤＣ／ＤＣコンバータを含む。デジタルカメラ１０に装填されている電池９８から供給される電力は、電源回路９７のＤＣ／ＤＣコンバータによって所要の電圧に変換された後、電源回路９７よりデジタルカメラ１０内の各回路ブロックに供給される。電源スイッチ９３の開（ＯＦＦ）状態を検出すると、カメラＣＰＵ９０は電源回路９７に対して停止指令の信号を与え、電源回路９７からの電力供給を停止させる。なお、主電源のＯＮ／ＯＦＦについては、電源スイッチ９３の操作に限らず、オートパワーＯＮ機能（設定された時刻にパワーＯＮする機能）やオートパワーＯＦＦ機能（一定時間の無操作状態が継続した場合や設定された時刻に自動的にパワーＯＦＦする機能）によって切り換わる態様もある。
【００３８】
モード選択スイッチ９４は、デジタルカメラ１０の動作モードを設定する手段であり、このモード切換スイッチを操作することによって「撮影モード」（撮影を行うモード）や「再生モード」（記録画像を再生するモード）などの各モードに設定できる。レリーズ検出スイッチ９５は、シャッターボタン１８（図１参照）の内部に配設される検出スイッチであり、シャッターボタン１８の半押し時にＯＮするＳ１スイッチと、全押し時にＯＮするＳ２スイッチから構成される。
【００３９】
モード選択スイッチ９４によって「撮影モード」が選択されると、デジタルカメラ１０は撮影可能な状態になる。カメラＣＰＵ９０がシャッターボタン１８の半押し（Ｓ１＝ＯＮ）を検出すると、ＡＥ及びＡＦ処理を実施し、その後、シャッターボタン１８の全押し（Ｓ２＝ＯＮ）を検知すると、記録用の画像を取り込むためのＣＣＤ露光及び読み出し制御を開始する。
【００４０】
デジタルカメラ１０に搭載されたＡＥ機能はＴＴＬ方式のＡＥであり、図４に示すように、デジタルカメラ１０内部の光学ファインダ６０付近には、検出系としてのＡＥセンサ（受光素子）１００が設けられている。このＡＥセンサ１００には、クイックリターンミラー２０３がミラーダウンした状態において、クイックリターンミラー２０３に反射された被写体光がペンタゴナルダハプリズム２０６等の光学系によって導かれるようになっている。
【００４１】
また、デジタルカメラ１０のＡＦ機能はＴＴＬ位相差式ＡＦであり、デジタルカメラ１０内部には位相差式ＡＦの検出系であるＡＦモジュール１０１と、検出光路の形成に必要な光学系（不図示）とが配設されている。ＡＦモジュール１０１の配置構造や光学系の構成などについては、本発明の実施において特に限定されるものではく、一眼レフカメラの分野において知られる様々な態様を適用できる。また、ＡＥ／ＡＦ機能を実現する手段は、上述の例に限定されず、他のＡＥ／ＡＦ方式を用いてもよい。
【００４２】
また、カメラＣＰＵ９０は、クイックリターンミラー２０３を斜設位置と退避位置とに切り替えるアクチュエーター１６０及びフラッシュ１３によるフラッシュ発光を制御するフラッシュ発光制御回路１３２も制御する。
【００４３】
また、シャッターボタン１８が「半押し」されると（Ｓ１＝ＯＮ）、カメラＣＰＵ９０は、ＡＦモジュール１０１からの検出信号に基づいてピント状態を判定し、フォーカシングレンズ８２の移動制御信号を生成する。この移動制御信号はレンズＣＰＵ８８に送られる。レンズＣＰＵ８８はカメラＣＰＵ９０からの信号に基づいてモータドライバ８７を制御してＡＦモーター８６を作動させ、フォーカシングレンズ８２を合焦位置に移動させる。
【００４４】
また、カメラＣＰＵ９０は、ＡＥセンサ１００からの検出信号に基づいてＡＥ演算を行い、絞り値やシャッタースピードを算出する。
【００４５】
シャッターボタン１８が「全押し」されると（Ｓ２＝ＯＮ）、カメラＣＰＵ９０は、  アクチュエーター１６０を制御してクイックリターンミラー２０３を退避位置に切り替え、ＡＥ演算の結果に基づいて、絞り制御信号をレンズＣＰＵ８８に送り、シャッター機構３０（図４参照）を制御し、シャッター機構３０のシャッター３２を開閉動作させるとともに、ＣＣＤ２２の電荷蓄積時間を制御する。レンズＣＰＵ８８は、カメラＣＰＵ９０からの信号に基づいてモータドライバ８４を制御してアイリスモータ８３を作動させ、絞り機構８０を所要の開口にする。なお、フラッシュ発光による撮影が設定されていた場合には、フラッシュ１３をポップアップさせてフラッシュ発光させて撮影する。そして、レンズユニット１６を介してＣＣＤ２２に結像された被写体の光学像は、ＣＣＤ２２によって光電変換される。
【００４６】
ＣＣＤ２２の各フォトダイオード（図示省略）に蓄積された信号電荷は、タイミングジェネレータ（ＴＧ）１０３から与えられるパルスに基づいて信号電荷に応じた電圧信号（撮像信号）として順次読み出される。ＣＣＤ２２から出力された信号はアナログ処理部１０４に送られ、相関二重サンプリング（ＣＤＳ）処理、色分離、ゲイン調整などの所要の処理が行われる。アナログ処理部１０４で生成された画像信号はＡ／Ｄ変換器１０６によってデジタル信号に変換された後、画像入力コントローラ１０８を介してメモリ１１０に格納される。なお、タイミングジェネレータ１０３は、カメラＣＰＵ９０の指令に従ってＣＣＤ２２、アナログ処理部１０４及びＡ／Ｄ変換器１０６に対してタイミング信号を与えており、このタイミング信号によって各回路の同期がとられている。
【００４７】
メモリ１１０に格納されたデータは、バス１１２を介して画像信号処理回路１１４に送られる。画像信号処理回路１１４は、輝度・色差信号生成回路、ガンマ補正回路、シャープネス補正回路、ホワイトバランス補正回路、ゲイン（感度）調整回路等を含む画像処理手段であり、カメラＣＰＵ９０からのコマンドにしたがって、画像信号を処理する。
【００４８】
画像信号処理回路１１４に入力された画像データは、輝度信号（Ｙ信号）及び色差信号（Ｃｒ，Ｃｂ信号）に変換されるとともに、ガンマ補正やゲイン調整等の所定の処理が施される。画像信号処理回路１１４で生成された画像データは圧縮伸長回路１１６に送られ、ＪＰＥＧその他の所定の形式に従って圧縮される。圧縮された画像データは、メディアコントローラ１１８を介して記録メディア１２０に記録される。
【００４９】
圧縮形式はＪＰＥＧに限定されず、ＭＰＥＧその他の方式を採用してもよい。また、画像データを保存する手段は、メモリカードで代表される半導体メモリに限定されず、磁気ディスク、光ディスク、光磁気ディスクなど、種々の媒体を用いることができる。また、リムーバブルメディアに限らず、デジタルカメラ１０に内蔵された記録媒体（内部メモリなど）であってもよい。
【００５０】
モード選択スイッチ９４によって「再生モード」が選択されると、記録メディア１２０から画像ファイルが読み出される。読み出された画像データは、圧縮伸長回路１１６によって伸長処理され、ＶＲＡＭ１２２に送られる。ＶＲＡＭ１２２に格納されたデータは、
【００５１】
ビデオエンコーダ１２４によって表示用の所定方式の信号（例えば、ＮＴＳＣ方式のカラー複合映像信号）に変換された後、液晶モニター６４に供給される。こうして記録メディア１２０に格納されている画像が液晶モニター６４に表示される。
【００５２】
また、デジタルカメラ１０は、撮影モードとして、クイックリターンミラー２０３を斜設位置とし、光学ファインダ６０で被写体像を視認しながらの撮影を可能とする光学ファインダモードと、クイックリターンミラー２０３を退避位置にすると共にシャッター３２を開いてＣＣＤ２２に被写体像を結像させ、これを液晶モニター６４に所定周期で表示させることにより被写体像（スルー画）を液晶モニター６４で視認しながらの撮影を可能とする電子ファインダモードと、を例えば操作部９６を操作することにより切り替え可能となっている。
【００５３】
次に、本実施形態の作用として、デジタルカメラ１０で実行される撮影処理について説明する。
【００５４】
図６には撮影モードで実行される撮影処理のフローチャートを示した。同図に示す撮影処理は、モード選択スイッチ９４により「撮影モード」が選択されている場合に所定時間毎に実行される。
【００５５】
まず、ステップ４００では、撮影モードとして電子ファインダモードが選択されているか否かを判断し、電子ファインダモードが選択されている場合にはステップ４０２へ移行し、光学ファインダモードが設定されている場合にはステップ４１２へ移行する。
【００５６】
ステップ４０２では、図７に示すような電子ファインダスタート処理を実行する。まず、図７に示すステップ４２０では、液晶モニター６４に所定周期で表示される被写体像、すなわちスルー画の感度及び露出に関する条件（スルー画表示条件）の設定を行う。本実施形態では、例えばユーザーの操作やＡＥ測光等によって予め設定されている感度及び露出に関する条件（本撮影条件）で本撮影した時と同等の画像が液晶モニター６４に表示されるように、スルー画表示条件を設定する。すなわち、液晶モニター６４に表示されるスルー画の明るさや被写界深度が、本撮影時の明るさや被写界深度と同等となるようにスルー画表示条件を設定する。なお、露出に関する条件は、ここでは絞り値及びシャッタースピードをいう。
【００５７】
具体的には、本撮影時の撮影感度をＳｖ、本撮影時の絞り値をＡｖ、本撮影時のシャッタースピードをＴｖ、スルー画の感度をＳｖ＿ｍ、スルー画の絞り値をＡｖ＿ｍ、スルー画の露光時間をＴｖ＿ｍ、スルー画の読み出し周期をＴｖ＿ｃとした場合に、Ｔｖ≦Ｔｖ＿ｃの場合、すなわち本撮影時のシャッタースピードがスルー画の読み出し周期よりも短い場合には、以下のようにスルー画の感度、絞り値、及びシャッタースピードを設定する。
【００５８】
Ｓｖ＿ｍ＝Ｓｖ、Ａｖ＿ｍ＝Ａｖ、Ｔｖ＿ｍ＝Ｔｖ
【００５９】
すなわち、本撮影時のシャッタースピードがスルー画の読み出し周期よりも小さい場合には、スルー画の感度、絞り値、及び露光時間を本撮影時の感度、絞り値、及びシャッタースピードと同一とする。
【００６０】
一方、Ｔｖ＞Ｔｖ＿ｃの場合、すなわち本撮影時のシャッタースピードがスルー画の読み出し周期よりも遅い場合には、以下のようにスルー画の感度、絞り値、及びシャッタースピードを設定する。
【００６１】
Ｓｖ＿ｍ＝Ｓｖ＋（Ｔｖ−Ｔｖ＿ｃ）、Ａｖ＿ｍ＝Ａｖ、Ｔｖ＿ｍ＝Ｔｖ＿ｃ
【００６２】
すなわち、本撮影時のシャッタースピードがスルー画の読み出し周期よりも長い場合には、スルー画の感度は、本撮影時の感度に、本撮影時のシャッタースピードからスルー画の読み出し周期を減算した分、すなわち露光時間不足分を加算した感度に設定する。これにより、スルー画の明るさを本撮影時の明るさと同等にすることができる。
【００６３】
また、スルー画の絞り値は、本撮影時の絞り値と同一とし、スルー画の露光時間は、スルー画の読み出し周期と同一とする。
【００６４】
このように、スルー画の感度及び露出に関する条件を上記のように設定することにより、スルー画の表示を本撮影時と同等の明るさや被写界深度にすることができる。従って、ユーザーは実際の撮影時と同等の明るさ及び被写界深度の画像を液晶モニター６４で事前確認することができ、被写体を良好に撮影することが可能となる。
【００６５】
そして、ステップ４２１では、アクチュエーター１６０を駆動し、クイックリターンミラー２０３をミラーアップさせる。
【００６６】
ステップ４２２では、ＣＣＤ２２に結像された画像が所定周期で液晶モニター６４にスルー画表示されるようにするべくＣＣＤ２２を駆動する。
【００６７】
ステップ４２３では、シャッター機構３０を駆動してシャッター３２を開く。これにより、入射された被写体像がＣＣＤ２２に結像される。
【００６８】
ステップ４２４では、上記で設定された条件に従ってスルー画表示されるように、ＣＣＤ２２や絞り機構８０、液晶モニター６４等を駆動する。
【００６９】
図６のステップ４０４では、レリーズされたか否か、すなわちシャッターボタン１８が全押しされたか否かを判断し、レリーズされた場合にはステップ４０６へ移行し、レリーズされていない場合にはステップ４０８へ移行する。
【００７０】
ステップ４０６では、図８に示すような電子ファインダ・撮影記録処理が実行される。図８に示すステップ４３０では、本撮影時の感度及び露出に関する本撮影条件、すなわち、例えばユーザー操作等によって予め設定されている感度、絞り値、及びシャッタースピードを設定する。具体的には、ゲイン調整を行う画像信号処理回路１１４に対して感度を設定し、レンズＣＰＵ８８を介して絞り機構８０に対して絞り値を設定し、シャッター機構３０に対してシャッタースピードを設定する。
【００７１】
なお、例えば設定されたシャッタースピードが高速の場合には、シャッター３２は開いたままで、ＣＣＤ２２への露光時間を制御することにより撮影するいわゆる電子シャッターにより撮影するようにしてもよい。この場合は、設定されたシャッタースピードに対応する露光時間をＣＣＤ２２に対して設定すればよい。また、シャッタースピードの大小にかかわらず電子ファインダモードにおける撮影を全て電子シャッターによる撮影としてもよい。
【００７２】
ステップ４３１では、ＣＣＤ２２を駆動し、ステップ４３２では、設定された露光時間後にＣＣＤ２２に蓄積された電荷を撮像信号として読み出す。
【００７３】
ステップ４３３では、読み出された撮像信号に対して前述した所定の処理を順次行って、画像データを記録メディア１２０に記録する。
【００７４】
ステップ４３４では、スルー画表示に戻るために、ＣＣＤ２２に結像された画像が所定周期で液晶モニター６４にスルー画表示されるようにするべくＣＣＤ２２を駆動する。
【００７５】
ステップ４３５では、上記で設定された条件に従ってスルー画表示されるように、ＣＣＤ２２や絞り機構８０、液晶モニター６４等を駆動してリターンする。
【００７６】
なお、ステップ４３２とステップ４３３との間に、シャッター３２を閉じる処理及びクイックリターンミラー２０３をミラーダウンさせる処理の少なくとも一方を実行するようにしてもよい。これにより、入射した光がＣＣＤ２２に到達するのを防止することができ、電子シャッターで撮影した時の画像にスミアが生じるのを防ぐことができる。また、クイックリターンミラー２０３をミラーダウンさせた場合は、速やかに光学ファインダ６０で被写体像を確認することもできる。
【００７７】
なお、シャッター３２を閉じる処理及びクイックリターンミラー２０３ミラーダウンさせる処理の少なくとも一方を実行した場合には、これに対応して、ステップ４３４とステップ４３５との間に、シャッター３２を開く処理及びクイックリターンミラー２０３をミラーアップさせる処理の少なくとも一方を実行する。これにより、引き続きスルー画表示が可能となる。
【００７８】
図６のステップ４０８では、ユーザーの操作により電子ファインダモードを終了する操作が行われたか否かを判断し、電子ファインダモードを終了する操作が行われた場合にはステップ４１０へ移行し、電子ファインダモードを終了する操作が行われていない場合には、ステップ４０４へ戻って上記と同様の処理を繰り返す。
【００７９】
ステップ４１０では、図９に示すような電子ファインダ終了処理を実行する。図９に示すステップ４４０では、スルー画表示を停止するよう液晶モニター６４に指示し、スルー画表示を停止させる。
【００８０】
ステップ４４１では、スルー画駆動を停止するようＣＣＤ２２に指示し、スルー画駆動を停止させる。ステップ４４２では、シャッター３２を閉じるようシャッター機構３０に指示し、シャッター３２を閉じさせる。
【００８１】
ステップ４４３では、クイックリターンミラー２０３をミラーダウンさせるようアクチュエーター１６０を駆動してリターンする。なお、クイックリターンミラー２０３をミラーダウンさせた後、絞りを開放するようにしてもよい。
【００８２】
図６のステップ４００で否定判定された場合、すなわち撮影モードとして光学ファインダモードが選択されていた場合には、ステップ４１２において、レリーズされたか否か、すなわちシャッターボタン１８が全押しされたか否かを判断し、レリーズされた場合にはステップ４１４へ移行し、レリーズされていない場合には本ルーチンを終了する。
【００８３】
ステップ４１４では、図１０に示すような光学ファインダ・撮影記録処理が実行される。図１０に示すステップ４５０では、本撮影時の感度及び露出に関する本撮影条件、すなわち、例えばユーザー操作やＡＥ測光等によって予め設定されている感度、絞り値、及びシャッタースピードを設定する。具体的には、ゲイン調整を行う画像信号処理回路１１４に対して感度を設定し、レンズＣＰＵ８８を介して絞り機構８０に対して絞り値を設定し、シャッター機構３０に対してシャッタースピードを設定する。
【００８４】
ステップ４５１では、アクチュエーター１６０を駆動し、クイックリターンミラー２０３をミラーアップさせる。
【００８５】
ステップ４５２では、ＣＣＤ２２を駆動し、ステップ４５３では、シャッター機構３０を駆動し、シャッター３２を開く。
【００８６】
ステップ４５４では、設定された露光時間後にシャッター機構３０を駆動してシャッター３２を閉じる。なお、設定されたシャッタースピードでシャッター３２が開いて閉じるように制御する。シャッタースピードが高速の場合は、シャッターの先幕と後幕のスリット間隔で露光時間をコントロールしたり、電子シャッターと併用したりしてもよい。
【００８７】
ステップ４５５では、ＣＣＤ２２に蓄積された電荷を撮像信号として読み出す。ステップ４５６では、読み出された撮像信号に対して前述した所定の処理を順次行って、画像データを記録メディア１２０に記録する。
【００８８】
ステップ４５７では、アクチュエーター１６０を駆動し、クイックリターンミラー２０３をミラーダウンさせる。
【００８９】
ステップ４５８では、絞りを開放するようレンズＣＰＵ８８に指示する。これにより、レンズＣＰＵ８８は絞り機構８０を駆動して絞りを開放してリターンする。
【００９０】
以上のように、本実施形態では、電子ファインダモードにおいて、スルー画の感度及び露出に関する条件を本撮影時と同等に設定することにより、スルー画の表示を本撮影時と同等の明るさや被写界深度にすることができる。従って、ユーザーは実際の撮影時と同等の明るさ及び被写界深度の画像を液晶モニター６４で事前確認することができ、被写体を良好に撮影することが可能となる。
【００９１】
（第２実施形態）
【００９２】
次に、本発明の第２実施形態について説明する。第２実施形態では、電子ファインダモードにおいて、ユーザーの操作により感度や露出の設定が変更された場合について説明する。なお、第１実施形態と同一部分には同一符号を付し、その詳細な説明は省略する。
【００９３】
図１１には、第２実施形態に係る撮影処理のフローチャートを示した。図６に示すフローチャートと異なる点は、ステップ４０３Ａ、４０３Ｂが追加されている点のみであり、他は図６と同一であるので、説明は省略する。
【００９４】
図１１のステップ４０２で電子ファインダスタート処理が実行されると、ステップ４０３Ａへ移行する。
【００９５】
ステップ４０３Ａでは、ユーザーの操作により本撮影時の感度及び露出に関する本撮影条件の設定が変更されたか否かを判断し、本撮影条件の設定が変更された場合にはステップ４０３Ｂへ移行し、本撮影条件の設定が変更されていない場合には、ステップ４０４へ移行する。
【００９６】
ステップ４０４では、図７のステップ４２０と同様に、本撮影条件で本撮影した時と同等の画像が液晶モニター６４に表示されるように、スルー画表示条件を設定する。
【００９７】
このように、本実施形態では、電子ファインダモードにおいてユーザーの操作により本撮影時の感度及び露出に関する本撮影条件の設定が変更された場合には、変更された本撮影条件で本撮影した時と同等の画像が液晶モニター６４に表示されるようにスルー画表示条件をリアルタイムで設定し直すので、常にユーザーは実際の撮影時と同等の明るさ及び被写界深度の画像を液晶モニター６４で事前確認することができ、被写体を良好に撮影することが可能となる。
【００９８】
（第３実施形態）
【００９９】
次に、本発明の第３実施形態について説明する。第３実施形態では、電子ファインダモードにおいて、フラッシュ発光して本撮影する場合に適切にフラッシュの調光を行う場合について説明する。なお、上記各実施形態と同一部分には同一符号を付し、その詳細な説明は省略する。
【０１００】
前述したように、通常の一眼レフタイプのデジタルカメラにおいては、フラッシュ撮影する場合はプリ発光して測光してから本発光して撮影するのが通常であるが、図４に示すようにＡＥセンサ１００は光学ファインダ６０側に設けられているため、電子ファインダモードの場合、ＡＥセンサ１００では測光することができない。このため、本実施形態では、フラッシュ発光せずに撮影した画像の画像データとプリ発光して撮影した画像の画像データとに基づいて輝度補正ゲインを算出し、本発光時の発光量を設定する。
【０１０１】
本実施形態においては、図６のステップ４０６の電子ファインダ撮影・記録処理及びステップ４１４の光学ファインダ撮影・記録処理のみが異なり、本実施形態では図１２、１３に示すような電子ファインダ撮影・記録処理、光学ファインダ撮影・記録処理を実行する。他は図６と同一の処理とすることができるが、ステップ４０２の電子ファインダスタート処理に関しては、図７のステップ４２０を省略してもよい。
【０１０２】
図１２に示す電子ファインダ撮影・記録処理が図８に示す電子ファインダ撮影・記録処理と異なる点はステップ４３０Ａ〜４３０Ｄ、４３１Ａの処理のみであり、他は図８に示す処理と同一であるので、説明は省略する。
【０１０３】
ステップ４３０Ａでは、フラッシュ１３を発光させずに測光処理を行う。この測光処理では、設定された露出条件において撮影処理を行い、その画像データの輝度レベルＢ１を求める。例えば、輝度レベルＢ１は、全画素の輝度レベルの平均値とすることができるが、これに限られるものではない。マルチパターンで重み付けして輝度レベルを求めてもよいし、画像認識技術を用いて特定部の輝度レベルを求めてもよい。
【０１０４】
ステップ４３０Ｂでは、ステップ４３０Ａと同じ露出条件で、予め定めた発光量Ｇでフラッシュ１３をプリ発光させて測光処理する。この測光処理は、ステップ４３０Ａと同様であり、プリ発光した時の撮影画像の画像データの輝度レベルＢ２を求める。
【０１０５】
ステップ４３０Ｃでは、本発光時の輝度補正ゲインαを算出する。具体的には、まず次式によりプリ発光における輝度増加分Ｆを算出する。
【０１０６】
Ｆ＝Ｂ２−Ｂ１      ・・・（１）
【０１０７】
次に、予め定めた適正な輝度レベルをＢとして、次式により輝度補正ゲインαを算出する。
【０１０８】
α＝（Ｂ−Ｂ１）／Ｆ      ・・・（２）
【０１０９】
すなわち、輝度補正ゲインαは、フラッシュ発光して本撮影した時の画像が適正な輝度レベルＢとなるようにフラッシュ発光の発光量を補正するための値である。
【０１１０】
ステップ４３０Ｄでは、図８のステップ４３０と同様の感度及び露出条件の設定処理に加えて、発光量の設定を行う。すなわち、フラッシュによる輝度増加分が、プリ発光時よりステップ４３０Ｃで算出した輝度補正ゲインα倍になるように本発光時の発光量Ｇ１を算出し、フラッシュ制御回路１３２に指示する。
【０１１１】
そして、ステップ４３１で図８のステップ４３１と同様にＣＣＤ２２を駆動し、ステップ４３１Ａでは、設定された発光量Ｇ１でフラッシュ発光させる。
【０１１２】
次に、図１３に示す光学ファインダモードにおける光学ファインダ撮影・記録処理について説明する。同図に示す光学ファインダ撮影・記録処理が図１０に示す電子ファインダ撮影・記録処理と異なる点はステップ４５０Ａ〜４５０Ｄ、４５３Ａの処理のみであり、他は図１０に示す処理と同一であるので、説明は省略する。
【０１１３】
ステップ４５０Ａでは、フラッシュ１３を発光させずにＡＥセンサ１００により測光し、測光レベルＢ１ａを検出する。
【０１１４】
ステップ４５０Ｂでは、予め定めた発光量Ｇでフラッシュ１３をプリ発光させてＡＥセンサ１００により測光し、測光レベルＢ２ａを検出する。
【０１１５】
ステップ４５０Ｃでは、本発光時の輝度補正ゲインβを算出する。具体的には、まず次式によりプリ発光における輝度増加分Ｆａを算出する。
【０１１６】
Ｆａ＝Ｂ２ａ−Ｂ１ａ      ・・・（３）
【０１１７】
次に、予め定めた適正な測光レベルをＢａとして、次式により輝度補正ゲインβを算出する。
【０１１８】
β＝（Ｂａ−Ｂ１ａ）／Ｆａ      ・・・（４）
【０１１９】
すなわち、輝度補正ゲインβは、フラッシュ発光して本撮影した時に適正な測光レベルＢａとなるようにフラッシュ発光の発光量を補正するための値である。
【０１２０】
ステップ４５０Ｄでは、図１０のステップ４５０と同様の感度及び露出条件の設定処理に加えて、発光量の設定を行う。すなわち、フラッシュによる輝度増加分が、プリ発光時よりステップ４５０Ｃで算出した輝度補正ゲインβ倍になるように本発光時の発光量Ｇ１ａを算出し、フラッシュ制御回路１３２に指示する。
【０１２１】
そして、ステップ４５１〜４５３で図１０のステップ４５１〜４５３と同様の処理を行い、ステップ４５３Ａでは、設定された発光量Ｇ１ａでフラッシュ発光させる。
【０１２２】
このように、本実施形態では、電子ファインダモードにおいて、フラッシュ発光せずに撮影した画像の画像データとプリ発光して撮影した画像の画像データとに基づいて輝度補正ゲインを算出し、本発光時の発光量を設定するので、ＡＥセンサが光学ファインダ付近に設けられた構成であっても、電子ファインダモードにおいて適切な発光量でフラッシュ撮影することができる。
【０１２３】
（第４実施形態）
【０１２４】
次に、本発明の第４実施形態について説明する。第４実施形態では、電子ファインダモードにおいて、フラッシュ発光して本撮影した場合と同等の画像をスルー画表示中に事前確認する場合について説明する。なお、上記各実施形態と同一部分には同一符号を付し、その詳細な説明は省略する。
【０１２５】
図１４には、本実施形態に係る撮影処理のフローチャートを示した。図６に示す撮影処理と異なる点は、ステップ４０３Ｃ、４０３Ｄが追加されている点、ステップ４０６の電子ファインダ撮影・記録処理が図１６に示すような処理である点のみであり、他は図６と同一であるので、説明は省略する。
【０１２６】
図１４のステップ４０２で電子ファインダスタート処理が実行されると、ステップ４０３Ｃへ移行する。
【０１２７】
ステップ４０３Ｃでは、ユーザーの操作によりフラッシュプレビューを実行するよう指示されたか否かを判断する。このフラッシュプレビューは、フラッシュ発光して本撮影した場合と同等の画像を液晶モニター６４に表示する機能である。そして、フラッシュプレビューを実行するように指示された場合はステップ４０３Ｄへ移行し、フラッシュプレビューを実行するように指示されていない場合には、ステップ４０４へ移行する。
【０１２８】
ステップ４０３Ｄでは、図１５に示すようなフラッシュプレビュー処理が実行される。まず、図１５に示すステップ４６０では、例えばユーザー操作等によって予め設定されている本撮影時の感度及び露出の設定で、フラッシュ１３を発光させずに撮影処理し、その画像データＤ１をメモリ１１０に記憶する。
【０１２９】
ステップ４６１では、ステップ４６０と同じ感度及び露出設定で、予め定めた発光量Ｇｐでフラッシュ１３をプリ発光して撮影処理し、その画像データＤ２をメモリ１１０に記憶する。
【０１３０】
ステップ４６２では、輝度補正ゲインγを算出する。具体的には、まず、画像データＤ１、Ｄ２の輝度レベルＢ３、Ｂ４を求める。例えば、輝度レベルＢ３、Ｂ４は、全画素の輝度レベルの平均値とすることができるが、これに限られるものではない。
【０１３１】
次に、次式によりフラッシュ１３の発光による輝度増加分Ｆｐを次式により算出する。
【０１３２】
Ｆｐ＝Ｂ４−Ｂ３      ・・・（５）
【０１３３】
次に、予め定めた適正な輝度レベルをＢｐとして、次式により輝度補正ゲインγを算出する。
【０１３４】
γ＝（Ｂｐ−Ｂ３）／Ｆｐ      ・・・（４）
【０１３５】
ステップ４６３では、次式によりプレビュー画像の画像データＤｐを算出する。
【０１３６】
Ｄｐ＝Ｄ１＋γ×（Ｄ２−Ｄ１）    ・・・（５）
【０１３７】
すなわち、フラッシュ非発光で撮影した画像データＤ１に、フラッシュ発光で撮影した画像データＤ２と定常光により撮影した画像データＤ１との差分データ、すなわちフラッシュ発光の発光量のみの画像データ（Ｄ２−Ｄ１）に輝度補正ゲインγを乗算した画像データを加算（合成）する。これにより、画像データＤｐは適正なフラッシュ発光により本撮影した時と同等の画像データになる。
【０１３８】
ステップ４６４では、算出した画像データＤｐに基づくプレビュー画像（合成画像）を液晶モニター６４に表示させる。
【０１３９】
このように、電子ファインダモードにおいて、フラッシュ発光して本撮影した時と同等の画像を事前確認することができるので、被写体を良好に撮影することが可能となる。
【０１４０】
フラッシュプレビュー処理が終了し、ステップ４０４でレリーズされた判断されると、ステップ４０６では、図１６に示すような電子ファインダ撮影・記録処理が実行される。
【０１４１】
図１６に示す処理は、図１２に示す処理と比較して、ステップ４２９が追加されている点のみが異なるため、他の処理についての説明は省略する。
【０１４２】
ステップ４２９では、フラッシュプレビュー処理が未処理であるか否か、すなわち、図１４のステップ４０３Ｄの処理を既に実行しているか否かを判断する。そして、フラッシュプレビュー処理が未処理である場合にはステップ４３０Ａへ移行し、フラッシュプレビュー処理が未処理でない場合にはステップ４３０Ｄへ移行する。
【０１４３】
すなわち、既にフラッシュプレビュー処理が未処理でない場合には、既に輝度補正ゲインγを算出しているため、速やかに本発光による撮影処理に移行する。一方、フラッシュプレビュー処理が未処理の場合には、前述したステップ４３０Ａ〜４３０Ｃと同様の処理を実行し、輝度補正ゲインγを算出して本発光による撮影処理を行う。
【０１４４】
このように、本実施形態では、電子ファインダモードにおいて、フラッシュ発光して本撮影した時と同等の画像を事前確認することができるので、被写体を良好に撮影することが可能となる。また、一度フラッシュプレビュー処理を行った後は、速やかに本発光による撮影処理に移行することができる。
【０１４５】
（第５実施形態）
【０１４６】
次に、本発明の第５実施形態について説明する。第５実施形態では、電子ファインダモードにおいて、フラッシュプレビュー中にユーザーの操作により感度や露出の設定が変更された場合について説明する。なお、上記各実施形態と同一部分には同一符号を付し、その詳細な説明は省略する。
【０１４７】
図１７には、本実施形態に係る撮影処理のフローチャートを示した。図６に示す撮影処理と異なる点は、ステップ４０３Ｅ〜４０３Ｌが追加されている点、ステップ４０６の電子ファインダー撮影・記録処理が図１２に示すような処理である点のみであり、他は図６と同一であるので、説明は省略する。
【０１４８】
図１７のステップ４０２で電子ファインダスタート処理が実行されると、ステップ４０３Ｅへ移行する。
【０１４９】
ステップ４０３Ｅでは、フラッシュプレビュー中であるか否かを判断する。そして、フラッシュプレビュー中である場合はステップ４０３Ｆへ移行し、フラッシュプレビュー中でない場合はステップ４０３Ｋに移行する。なお、ステップ４０３Ｋの処理は図１４に示すステップ４０３Ｃと、ステップ４０３Ｌの処理は図１４に示すステップ４０３Ｄと同様であるので、説明は省略する。
【０１５０】
ステップ４０３Ｆでは、フラッシュプレビューを終了するか否かを判断し、フラッシュプレビューを終了する場合にはステップ４０３Ｇへ移行してスルー画表示に切り替える。
【０１５１】
一方、フラッシュプレビューが終了していない場合には、ステップ４０３Ｈへ移行し、ユーザーの操作により本撮影時の感度、露出、及び発光量に関する本撮影条件の設定が変更されたか否かを判断する。そして、本撮影条件の設定が変更された場合にはステップ４０３Ｉへ移行し、本撮影条件の設定が変更されていない場合には、ステップ４０４へ移行する。
【０１５２】
ステップ４０３Ｉでは、次式によりプレビュー画像の画像データＤｐを算出する。
【０１５３】
Ｄｐ＝δ×Ｄ１＋γ×（Ｄ２−Ｄ１）    ・・・（６）
【０１５４】
ここで、δは定常光における画像データＤ１の明るさを調整するためのパラメータであり、デフォルトは‘１’である。すなわち、本撮影条件が設定されていない状態においては、上記（６）式は上記（５）式と同じである。
【０１５５】
δ、γは、設定変更された本撮影条件に応じて調整する。例えば、発光量の設定が変更された場合は、発光量はフラッシュ光のみ影響するため輝度補正ゲインγのみを調整する。具体的には、発光量が少なくなるように設定変更された場合は、γの値が小さくなるように、発光量が多くなるように設定変更された場合は、γの値が大きくなるように、γの値を調整する。
【０１５６】
また、例えばシャッタースピードが設定変更された場合は、フラッシュの発光時間は非常に短く、シャッタースピードがフラッシュ発光時間より長い範囲ではその影響は無視できるので、輝度補正ゲインγは調整せずパラメータδのみを調整する。具体的には、シャッタースピードが速くなるように設定変更された場合は、δが小さくなるように、シャッタースピードが遅くなるように設定変更された場合は、δが大きくなるように、δの値を調整する。
【０１５７】
また、絞り値や感度が設定変更された場合は、定常光による画像データＤ１、フラッシュ光による画像データＤ２の両方に影響を及ぼすため、δ、γ共に調整する。具体的には、絞りを開く方に絞り値が設定変更された場合は、δ、γの値が大きくなるように、絞りを閉じる方に絞り値が設定変更された場合は、δ、γの値が小さくなるように、δ、γの値を調整する。また、感度が高くなるように設定変更された場合は、δ、γの値が大きくなるように、感度が低くなるように設定変更された場合は、δ、γの値が小さくなるように、δ、γの値を調整する。
【０１５８】
そして、ステップ４０３Ｊでは、算出した画像データＤｐに基づくプレビュー画像（合成画像）を液晶モニター６４に表示させる。
【０１５９】
このように、δ、γの値を設定変更された本撮影条件に応じて適宜調整してプレビュー画像を生成して表示することにより、フラッシュプレビューの途中で本撮影条件が変更された場合でも、リアルタイムでフラッシュ撮影した場合の画像が修正されるため、常にフラッシュ撮影された場合の画像を事前確認することができる。
【０１６０】
（第６実施形態）
【０１６１】
次に、本発明の第６実施形態について説明する。第６実施形態では、電子ファインダモードが選択された場合に、オートフォーカスモードが設定されていた場合には、強制的にマニュアルフォーカスモードに切り替える場合について説明する。なお、上記各実施形態と同一部分には同一符号を付し、その詳細な説明は省略する。
【０１６２】
本実施形態における撮影処理が図６に示す撮影処理と異なる点は、ステップ４０２の電子ファインダスタート処理が図１８に示すような処理であり、ステップ４１０の電子ファインダ終了処理が図１９に示すような処理である点のみであり、他は図６と同一であるので、説明は省略する。
【０１６３】
図１８に示すステップ４２０Ａでは、オートフォーカスモードに設定されているか否か、すなわちＡＦ／ＭＦ切り替えスイッチ１３０がＡＦ側に設定されているか否かを判断する。そして、オートフォーカスモードが設定されている場合には、ステップ４２０Ｂへ移行し、オートフォーカスモードが設定されていない場合にはステップ４２０へ移行する。なお、ステップ４２０〜ステップ４２４は、図７と同様であるので説明は省略する。
【０１６４】
ステップ４２０Ｂでは、ＡＦ／ＭＦ切り替えスイッチ１３０がＡＦ側に設定されていても、マニュアルフォーカスモードへ強制的に切り替える。マニュアルフォーカスモードへの切り替えは、ＡＦ駆動機構のギアを外して手動でフォーカスリングを操作してフォーカスレンズ駆動させたり、フォーカスリングの操作を検出してそれに合わせたフォーカスレンズ駆動を有効にしたりする方法がある。
【０１６５】
従来、光学ファインダーモードのオートフォーカスでは微妙なピント合わせが困難で、電子ファインダモードで微妙なピント合わせをしたい場合には、手動でＡＦ／ＭＦ切り替えスイッチを操作してマニュアルフォーカスモードに切り替えてピント合わせをする必要があった。しかしながら、本実施形態では、電子ファインダモードでは自動的にマニュアルフォーカスモードに切り替えるため、ユーザーがわざわざ手動でマニュアルフォーカスモードに切り替える必要がなく、利便性を向上させることができる。
【０１６６】
次に、電子ファインダ終了処理について説明する。
【０１６７】
図１９に示す電子ファインダ終了処理のステップ４４０〜４４３の処理は、図９に示す処理と同様であるため説明は省略する。
【０１６８】
ステップ４４３でクイックリターンミラー２０３がミラーダウンされると、ステップ４４で元々の設定がオートフォーカスモードであるか否かを判断する。そして、オートフォーカスモードが設定されている場合には、電子ファインダスタート処理においてマニュアルフォーカスモードに強制的に切り替えられているため、ステップ４４５でマニュアルフォーカスモードからオートフォーカスモードに戻す。一方、オートフォーカスモードが設定されていない場合は、元々マニュアルフォーカスモードが設定されているため、本ルーチンを終了する。
【０１６９】
このように、本実施形態では、電子ファインダモードでオートフォーカスモードが設定されていた場合には強制的にマニュアルフォーカスモードに切り替え、電子ファインダモードが終了した時点でマニュアルフォーカスモードからオートフォーカスモードに自動的に戻すので、ユーザーの利便性を向上させることができる。
【０１７０】
また、本発明は、上述した各実施形態に限定されるものではなく、特許請求の範囲に記載された範囲内で設計上の変更をされたものにも適用可能であるのは勿論である。また、上記各実施形態を組み合わせた処理を実行することも可能である。
【図面の簡単な説明】
【０１７１】
【図１】本発明の第１実施形態に係るデジタルカメラの斜視図である。
【図２】レンズユニットを外した状態のデジタルカメラの斜視図である。
【図３】第１実施形態に係るデジタルカメラの背面を示す図である。
【図４】第１実施形態に係るデジタルカメラの内部を模式的に示す図である。
【図５】第１実施形態に係るデジタルカメラのブロック図である。
【図６】第１実施形態に係る撮影処理のフローチャートである。
【図７】第１実施形態に係る電子ファインダスタート処理のフローチャートである。
【図８】第１実施形態に係る電子ファインダ撮影・記録処理のフローチャートである。
【図９】第１実施形態に係る電子ファインダ終了処理のフローチャートである。
【図１０】第１実施形態に係る光学ファインダ撮影・記録処理のフローチャートである。
【図１１】第２実施形態に係る撮影処理のフローチャートである。
【図１２】第３実施形態に係る電子ファインダ撮影・記録処理のフローチャートである。
【図１３】第３実施形態に係る光学ファインダ撮影・記録処理のフローチャートである。
【図１４】第４実施形態に係る撮影処理のフローチャートである。
【図１５】第４実施形態に係るフラッシュプレビュー処理のフローチャートである。
【図１６】第４実施形態に係る電子ファインダ撮影・記録処理のフローチャートである。
【図１７】第５実施形態に係る撮影処理のフローチャートである。
【図１８】第６実施形態に係る電子ファインダスタート処理のフローチャートである。
【図１９】第６実施形態に係る電子ファインダ終了処理のフローチャートである。
【符号の説明】
【０１７２】
１０      デジタルカメラ
１３      フラッシュ（フラッシュ発光手段）
１４      レンズマウント部
１６      レンズユニット
１８      シャッターボタン
３０      シャッター機構
３２      シャッター
６０      光学ファインダ
６４      液晶モニター（表示手段）
８０      絞り機構
８８      レンズＣＰＵ
９０      カメラＣＰＵ（制御手段、調整手段）
９３      電源スイッチ
９５      レリーズ検出スイッチ
９６      操作部（撮影モード切替手段）
１００      ＡＥセンサ
１３０      ＡＦ／ＭＦ切り替えスイッチ（合焦モード切替手段）
１３２      フラッシュ制御回路
１３２      フラッシュ発光制御回路
１６０      アクチュエーター
２０３      クイックリターンミラー（反射ミラー）
３００      レンズ群（撮像光学系）
【図１】
2009111844.tif 000003
【図２】
2009111844.tif 000004
【図３】
2009111844.tif 000005
【図４】
2009111844.tif 000006
【図５】
2009111844.tif 000007
【図６】
2009111844.tif 000008
【図７】
2009111844.tif 000009
【図８】
2009111844.tif 000010
【図９】
2009111844.tif 000011
【図１０】
2009111844.tif 000012
【図１１】
2009111844.tif 000013
【図１２】
2009111844.tif 000014
【図１３】
2009111844.tif 000015
【図１４】
2009111844.tif 000016
【図１５】
2009111844.tif 000017
【図１６】
2009111844.tif 000018
【図１７】
2009111844.tif 000019
【図１８】
2009111844.tif 000020
【図１９】
2009111844.tif 000021